(57)【特許請求の範囲】
【請求項１】
容器本体、開封可能なシール部、貯留室及び保護ケースが順次一体成形され、塗布具の塗布部を容器本体側に位置するように保護ケース内に収納し、前記塗布具をシール部近傍の貯留室下方に固定し、前記貯留室と保護ケースの間に破断部を設け、前記塗布具を取り出し可能に収納したことを特徴とする内容物入り包装容器。
【請求項２】
前記シール部から容器本体に向かって拡径のテーパ壁を有する請求項１に記載の内容物入り包装容器。
【請求項３】
容器本体に折り畳み導線を形成した請求項１又は２に記載の内容物入り包装容器。
【請求項４】
スタンディング性を有する請求項１乃至３に記載の内容物入り包装容器。
【請求項５】
塗布具の収納固定を環状のゴムパッキンを介して固定する請求項１乃至４に記載の内容物入り包装容器。
【請求項６】
保護ケースに突片を設けた請求項１乃至５に記載の内容物入り包装容器。
【請求項７】
容器本体内の内容物が歯科用接着剤である請求項１乃至６に記載の内容物入り包装容器。
【発明の詳細な説明】
【技術分野】
【０００１】
本発明は、包装容器内に塗布具が収納されている内容物入り包装容器に関する。
【背景技術】
【０００２】
通常、薬液等を患部へ塗布する際に、塗布棒の先端に薬液等を含浸させて、患部へ塗布する方法が一般的に行われている。しかしながら、医療分野においては、近年の急速な技術進歩に伴い、用途や個別化医療によって各種さまざまな薬液等が用いられており、衛生性、医療事故防止の点から包装体内に塗布具が収納されている使い捨てタイプの包装体が提案されている。
【０００３】
例えば、特許文献１に記載されている容器は、第１フォイルと第２フォイルにより形成され、チャンバ（収納室）と選択的に開放可能な通路領域と、分配手段（塗布具）が位置するパウチとを備えるものである。また、特許文献２に記載されている包装体は、塗布棒を内封する塗布棒収納部と、塗布棒の塗布部材に隣接するよう分離帯を介して液剤を内封する液剤収納部とを備えた塗布棒包装体であって、液剤収納部の押圧により分離帯を連通して塗布部材に液剤を含浸させる構成としている。特許文献３に記載されている包装体は、塗布棒を内封する塗布棒収納部と、塗布棒の塗布部材に隣接する弱シールの分離帯を介して液剤を内封する液剤収納部とを前記液剤収納部の押圧により分離帯を連通して塗布部材に液剤を含浸させるものである。
【０００４】
【特許文献１】特表２００３−５２５１８２
【特許文献３】特開２００３−２９２０４１
【特許文献２】特開２００６−６２６８２
【発明の開示】
【発明が解決しようとする課題】
【０００５】
前述の特許文献１に記載されている容器は、第一フォイルと第２フォイルにより形成され、チャンバ（収納室）と選択的に開放可能な通路領域と、分配手段（塗布具）が位置するパウチとを備えるものであって、塗布具の一部はフォイルから外部にはみ出して収納されているので、流通過程で塗布具が外れる恐れがある。また、特許文献１乃至３に記載されている包装体は、それぞれ２枚のシートフィルムから構成されているので、使用時には、フィルムをはがしてから塗布具を取り出して使用する。この場合、薬液を含浸させた塗布具を再度薬液に含浸させるのに手間がかかり、また、含浸させた塗布具の先端が外部環境に暴露され、衛生的に優れないといったことがある。これらは高い衛生要求が必要となる環境下において、衛生性、管理性、使用性をいまだ充分に満足するものではない。
【課題を解決するための手段】
【０００６】
そこで、上記課題を解決するために、請求項１記載の内容物入り包装容器では、開封可能なシール部、貯留室及び保護ケースが順次一体成形され、塗布具の塗布部を容器本体側に位置するように保護ケース内に収納し、前記塗布具をシール部近傍の貯留室下方に固定し、前記貯留室と保護ケースの間に破断部を設け、前記塗布具を取り出し可能に収納したことを特徴とするものである。また、請求項２記載の包装容器は、請求項１記載の包装容器において、シール部から容器本体に向かって拡径のテーパ壁を有し、請求項３記載の包装容器は容器本体に折り畳み導線を形成し、請求項４記載の包装容器は、内容物入り包装容器がスタンディング性を有し、請求項５記載の包装容器は、塗布具の収納固定を環状のゴムパッキンを介して固定し、請求項６記載の包装容器は保護ケースに突片を設けたものである。さらに、請求項６記載の包装容器は、容器本体内に収納する内容物を歯科用接着剤とするものである。
【発明の効果】
【０００７】
請求項１記載の発明によれば、容器本体、開封可能なシール部、保護ケースが順次一体成形されているので高い密封性、いたずら防止機能を有し、塗布具の塗布部を容器本体側に位置するように保護ケース内に収納することで、使用直前まで高い衛生性を保持することができる。
また、請求項２に記載の発明によれば、シール部から容器本体に向かって拡径するテーパ壁を有することで、シール部の開通力を低減することができるのである。また、構造が極めて容易であるので、製造コストを安価にすることができる。
また、請求項３に記載の発明によれば、容器本体に折り畳み導線を形成することで、容器本体を押圧し易くなり、前記シール部の開通及び貯留室への内容物の供給を容易に行うことができると共に、内容物の残存が防止される。
また、請求項４に記載の発明によれば、包装容器がスタンディング性を有することで、収納性、商品陳列性に優れると共に、本発明の包装容器を再度使用する場合に、容器本体を正立させることで塗布具先端の汚染を防ぐことができる
また、請求項５に記載の発明によれば、塗布具の収納固定を環状のゴムパッキンを介して行うことで、容易、且つ確実に固定をすることができる。
さらに、本発明は、容器本体内の内容物が歯科用接着剤の場合に特に、有効に使用可能である。
【発明を実施するための最良の形態】
【０００８】
本発明の一実施形態について、図面に基づいて説明する。
図１は、本発明の一実施形態を示し、包装容器１の正面図（ａ）、側面図（ｂ）、断面図（ｃ）である。本発明の包装容器１は、容器本体、開封可能なシール部４及び保護ケース３が順次一体成形して設けられ、保護ケース３内に塗布具５の塗布部６が、容器本体側に位置するように貯留室７の下部に収納固定している。収納固定は、貯留室７の下部に環状ゴムパッキン１２を介して固定部８に固定される。
容器本体２内には、歯科用接着剤等の内容物９が充填されている。そして、貯留室７と保護ケース３の間には破断部１０が刻設されていて、この部分が他の部分よりも脆弱になっており、使用時にこの部分から保護ケース３を容器本体２から容易に分離できるようになっている。また保護ケース３と容器本体の分離を容易にするために保護ケース３に翼状の突片１１が形成されている。
また、容器本体２には、側面及び底面に折り畳み導線１３が形成されており、容器本体２を容易に押し潰すことが可能になり、前述したシール部４の開通及び貯留室への内容物の供給を容易に行うことができると共に、内容物の残存が防止されて液残り量も少なくなる。尚、折り畳み線１３は、容器本体の側面及び底面に形成する以外に、容器本体２の周方向に形成する蛇腹構造であってもよい。
【０００９】
本発明の包装容器においては、シール部４の下方に拡経のテーパ壁２１を設けることが好ましい。
そして、容器本体２を押し潰した際に発生する内圧力は、拡経のテーパ壁２１を介してシール部４に作用し、拡経のテーパ壁２１を設けることにより、前記シール部４のシール界面の垂直方向に作用する力、即ち、シール部４を引きはがす方向により大きな力が作用するため、シール部の開通力が低減され、効率よくシール部４のシール界面を剥離させることが可能になる。
【００１０】
塗布具５の先端に装着する塗布部６には、ブラシ、ハケ、ヘラ、クシ目ゴテ、ローラー等を装着することができる。特にブラシ状のものが内容物を含浸させ易いので好ましい。ブラシの材質としては、ナイロンや綿等の繊維状のものが好ましい。また、塗布部６に、容器本体２内の内容物とは別の薬液、接着剤等の成分を含浸、塗布させておいてもよい。
【００１１】
破断部１０は、保護ケース３と貯留室７の間に設けるのが好ましく、破断部１０の成形方法は、包装容器１の成形時のブロー金型に予め破断部形成用の凸部を成形してもよく、包装容器１の成形後に形成してもよい。
【００１２】
図２は、図１（ｃ）の部分Ａにおける包装容器１の固定部８の拡大図を示す。
そして、塗布具５は、固定部８に環状のゴムパッキン１２を介して収納固定され、塗布具５は保護ケース３内に直接収納固定することもできるが、前述したように環状のゴムパッキン１２を介して塗布具５を収納固定することにより、容易、且つ確実に固定することができるので好ましい。また、貯留室７の下部に収納固定することで、誤ってシール部が開通しても、貯留部７、保護ケース３内への内容物の漏れを防止することができる。
環状のゴムパッキン１２材としては、ポリブタジエン系、ブタジエン・アクリロニトリル系、クロロプレン系等の共重合体等が挙げられる。
【００１３】
本発明の包装容器１の材料としては、ポリエステル、ポリプロピレン、ポリエチレン、ポリスチレン、ポリ塩化ビニル、ナイロン等が挙げられ、単層または多層包装容器とすることもできる。
開封可能なシール部４は、包装容器１の内面に易剥離可能な材料を適宜選択し、包容容器の包材を圧着することで成形することができるし、ヒートシール温度を調整することによっても成形することができる。
【００１４】
本発明の包装容器は、特に歯科用接着剤容器キット等の医療分野の使い切りタイプ容器として好適に使用され、前記接着剤レジンとしてはリン酸系、カルボン酸系等が挙げられる。
【００１５】
本発明の包装容器の使用形態を、図３を参照して説明する。
先ず、保護ケース３の突片１１を掴み、容器本体を軸に回転させて破断部１０からねじ切る（図３（ａ）正面図）。次に、塗布具５を摘んで固定部８の環状のゴムパッキン１２から取り外す。その後、容器本体の側壁を押圧し、シール部４の開通、貯留室７内への内容物９の供給を行い（図３（ｂ）断面図）、最後に、塗布具５の塗布部６に貯留室７内の内容物９を含浸させて（図３（ｃ）断面図）患部に塗布する。
【００１６】
次に、図示しないが前述した本発明の包装容器の製造方法は、例えば、本出願人が提案した国際公開公報ＷＯ２００６／０８５４８０が挙げられ、このような成形方法により、ブロー成形、充填、中空塗布具の固定、保護ケースの成形を一体的に行うことで、高度な無菌状態の内容物入り包装容器を得ることができる。
【図面の簡単な説明】
【００１７】
【図１】本発明の包装容器の正面図（ａ）、側面図（ｂ）、断面図（ｃ）を示した図である。
【図２】図１で示した断面図（ｃ）の固定部８を拡大した図である。
【図３】本発明の包装容器の一使用形態を示した図である。
【符号の説明】
【００１８】
１  包装容器
２  容器本体
３  保護ケース
４  シール部
５  塗布具
６  塗布部
７  貯留室
８  固定部
９  内容物
１０  破断部
１１  突片
１２  ゴムパッキン
１３  折り畳み線
２１  拡径のテーパ壁
２２  縮径のテーパ壁
【図１】
0004998793.tif 000002
【図２】
0004998793.tif 000003
【図３】
0004998793.tif 000004